(57)【要約】      （修正有）【課題】論説欄と解説欄の相関的に編成し、また、論説欄と解説欄を日記帳や資料集としたとき、読者の感想や批評等を書込む欄がないと保存する価値を減少させるので、余白欄の設置をし、更に、広告欄を論説欄及び解説欄と無関係に配置すると広告的な価値を減少させるので、広告欄と論説欄及び解説欄の相関的な編成した新聞紙を提供する。【解決手段】論調を特徴付ける論説欄４及び解説欄５について、読者が効率的に情報を理解し、かつ、日記帳や資料集としてこれらの欄を容易に切抜や整理するために、論説欄４を表紙面に配置し、かつ、この欄に合わせて裏紙面３に解説欄５を配置し、これらの欄を表裏一体として相関的な編成をし、また、広告欄７を読者が気に掛け、かつ、日記帳や資料集となっても維持するために、読者の感想・批評等を書込む余白欄６をもって広告欄７を囲い込み、かつ、余白欄６を論説欄４及び解説欄５に隣接して相関的に配置した。【選択図】図１
2014030995.tif 000002
【特許請求の範囲】
【請求項１】
新聞の論調を特徴付ける論説欄及びこの欄の内容を補足する解説欄について、読者が効率的に情報を理解し、また、日記帳や資料集として、これらの欄を容易に切抜や整理するために、論説欄を表紙面に配置し、かつ、この欄に合わせて解説欄を裏紙面に配置して、表裏一体として相関的に編成した新聞紙面に関するものである。
【請求項２】
広告欄を読者が気に掛け、かつ、日記帳や資料集となっても維持するために、感想・批評等を書込みする余白欄をもって広告欄を囲い込み、また、余白欄を論説欄及び解説欄に隣接して相関的に編成した新聞紙面に関するものである。
【発明の詳細な説明】
【背景技術】
【０００１】  本発明は、論説欄と解説欄を表裏一体として相関的に編成した新聞紙面に関するものである。
【背景技術】
【０００２】  現代の社会では、活字文化に比べて映像文化の比重が高まる傾向にある。これに伴って、新聞を読む機会も減り、新聞離れの状態を起こしている。その結果、新聞社の収入源である新聞購読料及び広告料の減少を来すことになった。【０００３】  これを解決するために、新聞社は、現在、新聞の情報発信という本来の役割を意識し、映像媒体にはない魅力な新聞紙面の編成を模索する。読者に対し、新聞の論調を特徴付け、他紙との差別化をする魅力的な記事欄が必要となる。【０００４】  魅力的な記事欄を新聞紙面に編成すると、読者は、この記事欄に惹き付けられ、新聞の購入動機となり、または、これらを廃紙ではなく、日記帳や資料集として切抜や整理して保存することになる。【０００５】  新聞社は、従来、コラム、社説等、新聞紙の要部ともいうべき記事欄を提供している。例えば、朝日新聞の天声人語、読売新聞の編集手帳、毎日新聞の余禄、産経新聞の産経抄、日経新聞の春秋等である。【０００６】  ところが、実際には、新聞の要部というべき記事欄（以下、論説欄）は、新聞紙面の中、読者の注目を集めるような表紙面に配置されているのに対し、これに付随する内容を解説する記事欄（以下、解説欄）は、新聞紙面の各処に散在していることが多い。【０００７】  したがって、新聞の論説欄及びこれに付随する内容の解説欄はバラバラに編成されているので、読者は、情報の効率的な理解を困難にし、また、日記帳や資料集として、これらの切抜や整理をするためにも、煩雑となる。【０００８】  また、新聞の論説欄及び解説欄は、一般に、新聞社名や日付等を付記していないし、また、これを書き込む余白欄も存在しない。したがって、これらの切抜や整理に伴って、日記帳や資料隼として保存する価値を失う結果ともなる。【０００９】  更に、企業の広告欄は、新聞の論説欄又は解説欄と相関的に編成されるならば、広告的な価値を高める。ところが、広告欄は、読者が広告を気に掛けるような編成ではないし、また、論説欄又は解説欄の切抜や整理に伴って、広告欄も切り離される結果となる。
【先行技術文献】
【技術文献】
【００１０】
【特許文献１】  特になし。
【発明の概要】
【発明が解決しようとする課題】  本発明が解決しようする問題点は、次の通りである。【００１１】  先ず、新聞紙面において、論説欄と各処に散在する解説欄を相関的に編成しないと、読者は、情報の効率的な理解を困難とするだけではなく、これらの切抜や整理によって日記帳や資料集として使用するためにも、不便となる。【００１２】  次に、新聞紙面の論説欄及び解説欄を切抜や整理によって日記帳や資料集として使用するためには、新聞紙名や発行日付等の付記がなく、また、感想・批評等を書き込みする余白欄もなければ、保存する価値をもたない。【００１３】  最後に、新聞紙面において、広告欄を論説欄及び解説欄と相関的に編成しなければ、読者は、広告欄を気に掛けないし、また、日記帳や資料集とするために、これらの切抜や整理をするにあたり、広告欄を切落すので、広告的な効果を減少させる。
【課題を解決するための手段】
【００１４】  本発明が解決する手段は、次の通りである。【００１５】  先ず、本発明は、新聞の論調を特徴付ける論説欄（４）及びこの欄（４）の内容を補足する解説欄（５）について、読者が情報を効率的に理解し、または、日記帳や資料集（９）として、これらの欄（４）（５）を容易に切抜や整理することを目的とする。【００１６】  次に、本発明は、前記の目的を達成するために、論説欄（４）を表紙面（１）に配置し、また、この欄（４）に合わせて解説欄（５）を裏紙面（３）に配置し、表裏一体として相関的に編成した新聞紙面（１）に関するものである。【００１７】  最後に、本発明は、読者が広告欄（７）を気に掛け、また、日記帳や資料集（８）としても、読者が広告欄（７）を留め置くために、感想・批評等の書込みをする余白欄（６）をもって広告欄（７）を囲み込み、かつ、余白欄（６）を論説欄（４）及び解説欄（５）に隣接して編成した新聞紙面（１）に関するものである。
【発明の効果】
【００１８】  本発明の効果は、次の通りである。【００１９】  先ず、読者は、論説欄（４）を読み、問題意識を持ち、また、解説欄（５）を読み、語句の説明や参考文献の紹介等、論説欄（４）の内容を補足して、これらの情報を効率的に理解するので、情報源としての新聞の購買意欲を増大させることになる。【００２０】  次に、読者は、日記帳や資料集（９）とするために、論説欄（４）と同時に解説欄（５）を切抜することになるので便利であるし、また、これらの欄（４）（５）を整理して利用するにも便利であるので、情報源としての新聞の購買意欲を増大させることになる。【００２１】  最後に、読者は、日記帳や資料集（９）として切抜や整理をするにあたり、書き込みをする余白欄（６）に包摂された広告欄（７）を不要のものとして切り落とさないので、企業の広告掲載の意欲を増大させ、広告料を増加させることになる。
【図面の簡単な説明】
【００２２】
【図１】  本発明に係る新聞紙面の表紙面及び裏紙面を示す図面である。
【図２】  本発明に係る論説欄及び解説欄の使用状態を示す図面である。
【発明を実施するための形態】
【００２３】  本発明を実施するための形態は、次の通りである。
【００２４】  先ず、本発明は、論説欄（４）及び解説欄（５）を表裏一体として相関的に編成した新聞紙面（１）に関するものである。
【００２５】  本発明は、新聞の論調を特徴付ける論説欄（４）及びこの欄（４）の内容を補足する解説欄（５）について、読者が情報を効率的に理解し、また、日記帳や資料集（９）として、これらの欄（４）（５）を容易に切抜や整理することを目的とする。
【００２６】  本発明は、前記の目的を実現するために、新聞紙面（１）において、新聞の論調を特徴付ける論説欄（４）とこの内容を補足する解説欄（５）を表裏一体にして相関的に編成するものである。
【００２７】  論説欄（４）とは、最新の情報の根底にある問題意識を取り上げて、これを論評するものをいう。これは、新聞の要部として、コラム、社説等、新聞の論調を特徴付けて、他紙との差別化を図るものである。
【００２８】  解説欄（５）とは、論説欄（４）の論述だけでは十分に説明しきれないので、この内容を補足するものをいう。これは、論説欄（４）の記述に用いた語句を説明し、また、この記述に関する参考文献を紹介等に関するものである。
【００２９】  従来、新聞紙面の各処に散在した解説欄（５）を一ヶ所に纏め、また、論説欄（４）と解説欄（５）を相関的に編成する。すなわち、論説欄（４）は、新聞紙面の表紙面（２）に配置し、また、この欄（４）に合わせて、解説欄（５）を裏紙面（３）に配置する。これによって、表裏一体として新聞紙面（１）を編成する。
【００３０】  論説欄（４）及び解説欄（５）は、実線をもって取り囲み、切取り線を明示する。論説欄（４）は、表紙面（２）の上段・中段・下段の中、いずれの段の段組でもよいし、また、表紙面（２）の右端・中・左端の中、右端・左端のいずれに配置してもよい。
【００３１】  その結果、論説欄（４）及び解説欄（５）は表裏一体として相関的に新聞紙面（１）を編成しているので、読者は、これらの欄（４）（５）の情報を効率的に理解することができる。これによって、最新の情報を読者が身に着けることができる。
【００３２】  また、日記帳や資料集（９）として、論説欄（４）及び解説欄（５）を切抜や整理するために、読者は、表紙面（２）にある論説欄（４）の実線にそって切り取ると、裏紙面（３）の解説欄（５）も切り取れるし、また、一緒に整理して保存することもできるので、余分な手間もかからない。
【００３３】  次に、本発明は、論説欄（４）と解説欄（５）のみならず、これらの欄（４）（５）と広告欄（７）をも相関的に編成した新聞紙面（１）に関するものである。
【００３４】  本発明は、読者が広告欄（７）を気に掛け、広告効果をあげ、また、日記帳や資料集（９）としても、読者が広告欄（７）を留め置き、広告効果を維持することを目的とする。
【００３５】  本発明は、前記目的を実現するために、新聞社名や日付を始め、感想や批評等を書き込む欄として、余白欄（６）を設置し、また、余白欄（６）をもって広告欄（７）を囲み、かつ、余白欄（６）を論説欄（４）及び解説欄（５）に隣接した位置に配置する。
【００３６】  余白欄（６）とは、読者が自由に何事も書込みできるように、広告欄（７）を除外して、文字の記載のない空欄をいう。これは、新聞社名や日付の記載はもちろん、個人の感想や批評等を書き込み、日記帳や資料集（９）としての利用に効果があがる。
【００３７】  広告欄（７）とは、企業等の宣伝広告を記載した欄をいい、企業等の名称を始め、商品やサービス等の事業を宣伝するものである。これは、余白欄（６）の利用に伴って保存されるので、広告的な価値も残る。
【００３８】  読者側には、余白欄（６）を利用して、日記帳や資料集（９）としての利用に効果があがるし、また、企業側には、広告欄（７）によって広告的な効果を残存させることになる。したがって、広告欄（７）と余白欄（６）の割合を偏らないものとする。
【００３９】  最後に、論説欄（４）及び解説欄（５）のみならず、広告欄（７）及び余白欄（６）をも、次のような相関的な編成を有する新聞紙面（１）とする。
【００４０】  広告欄（７）を包摂した余白欄（６）は、例えば、新聞紙面（１）の表紙面（２）の中段に定め、かつ、左端の余端部（８）に寄せて配置した論説欄（４）と並置する。また、例えば、この欄（４）に相当する裏紙面（３）の中段に定め、かつ、右端の余端部（８）に寄せて配置した解説欄（５）と並置する。
【００４１】  余白欄（６）と論説欄（４）又は解説欄（５）は実線で取り囲み枠組みをし、切取り部分を明確にする。また、表紙面（２）の右端の余端部（８）を糊・パンチ等をもって綴じ合わせる。これによって、日記帳や資料集（９）となる。
【符号の説明】
【００４２】  １  新聞紙面
２  表紙面
３  裏紙面
４  論説欄
５  解説欄
６  余白欄
７  広告欄
８  余端部
９  日記帳・資料集
１０  綴じ目
【図１】
2014030995.tif 000003
【図２】
2014030995.tif 000004